(57)【特許請求の範囲】
【請求項１】
フォーク差し込み部を有する底板の上面の対向する一対の辺に沿って補助壁を立設し、この補助壁に補助壁を設けた側の一対の第１の側板の下端部を起倒自在に支持するための第１の軸支持部と、補助壁を設けない側の他の一対の第２の側板の下端部を起倒自在に支持するための第２の軸支持部とを設け、一対の第１の側板乃至一対の第２の側板のいずれか一方の一対の側板を該側板同士が重ならないようにそれぞれ底板の上面に重なるように倒すと共に該互いに重ならないように先に倒した一対の側板の上に他方の一対の側板を該側板同士が重ならないように倒した状態で折り畳み、且つ倒した状態で上に位置する他方の一対の側板を起立した後に下に位置する一方の一対の側板を起立させて箱形状に組み立てるように構成し、上記第１の側板の下端部に脚を垂設し、脚の側面から側方に断面非円形の軸を突設し、補助壁に上方及び対向する補助壁側に向けて開口する脚挿入凹溝部を形成し、脚挿入凹溝部内に挿入した脚に設けた非円形の軸を回動自在で且つ上下方向にスライド自在に挿入するための第１の軸支持部を構成する縦長の軸挿入縦溝を脚挿入凹溝部の内側面に形成し、補助壁に軸挿入縦溝に連通する軸差し込み用開口部を形成し、第１の側板を底板に対して斜めにした状態で軸差し込み用開口部から断面非円形の軸を軸挿入縦溝に対して挿入・抜き取り可能で且つ第１の側板を底板に対して平行となるように倒した状態及び第１の側板を底板に対して垂直に起立させた状態で軸差し込み用開口部から断面非円形の軸を軸挿入縦溝に対して挿入・抜き取り不可となるように軸差し込み用開口部の開口巾を第１の側板の軸の断面の最大巾部分よりも小さく設定して成ることを特徴とするパレット容器。
【請求項２】
底板の上面の対向する一対の辺に沿って補助壁を着脱自在に取付け、補助壁の両端部に第２の軸支持部を設け、補助壁の両第２の軸支持部間の部分に複数の第１の軸支持部を設け、一対の第２の側板を第２の側板同士が重ならないようにそれぞれ底板の上面に重ねるように倒すと共に該重ならないように倒した第２の側板の上に一対の第１の側板を第１の側板同士が重ならないように倒した状態で折り畳み、且つ倒した状態で上に位置する一対の第１の側板を起立して第１の側板の下端面を補助壁の上面に載置した後に下に位置する一対の第２の側板を起立させて第２の側板の下端面を底板の上面に載置させて箱形状に組み立てるように構成して成ることを特徴とする請求項１記載のパレット容器。
【請求項３】
起立に当たって先に起立する側板の側端部の内面側に起立状態で後から起立する方の側板の端部が当接して後から起立する側板が外側に倒れるのを防止するための突出部を突設し、後から起立する側板を倒した状態で上となる面に上記先に起立する側板を倒して重ねた際に突出部が収まる凹部を形成して成ることを特徴とする請求項１又は請求項２記載のパレット容器。
【発明の詳細な説明】
【０００１】
【発明の属する技術分野】
本発明は、種々の物品を収納してフォークリフトにより持ち上げて移動して保管したり、搬送したりするためのパレット容器に関するものである。
【０００２】
【従来の技術】
従来から種々の物品を収納してフォークリフトにより持ち上げて移動して保管したり、搬送したりするためのパレット容器が特開平７−８９５４６号公報により提案されている。
【０００３】
特開平７−８９５４６号公報に示された従来例は、フォーク差し込み部を有する矩形状の底板の上面の４辺に沿ってそれぞれ軸受け部を有する補助壁を着脱自在に取付け、４辺に取付けた補助壁の軸受け部にそれぞれ該当する補助壁と平行な側板の下部に設けた軸を回動自在且つ上下移動自在に取付け、前後に対向する一対の側板を倒すと共に前後の側板同士を互いに重ね合わせ、その後、左右のいずれかの側板を倒して重ね、更に左右の他方の側板を倒して重ねるというようにして４枚の側板を４重に重ねて折り畳むようになっており、起立に当たっては、４枚の側板を一枚ずつ順番に起立させて箱形状に組み立てるようになっている。
【０００４】
ところが上記の従来例にあっては、フォーク差し込み部を有する矩形状の底板の上面の４辺に沿ってそれぞれ軸受け部を有する補助壁を取付ける必要があり、４つの補助壁が必要で部材点数が増えてコストアップの原因になり、また、組立に手間がかかって組み立て性が悪いという問題がある。
また、上記従来例においては、上記のように４枚の側板を４重に重ねて折り畳むため、折り畳み時におけるパレット容器の上下の嵩が高くなるという問題がある。
【０００５】
しかも、上記従来例においては、左右の側板の両端部内面に起立して組み立てた状態において前後の側板が外側に倒れるのを防止するための突出部を突設しているが、折り畳み時に左右の側板同士の重なり部分では上の側板に設けた突出部を下の側板に設けた凹部に嵌め込んで嵩を低くする工夫がしてあるが、前後の側板と左右の側板との関係においては折り畳み状態で突出部が余分に嵩高くなり、パレット容器の折り畳み状態における嵩がいっそう高くなるという問題がある。
【０００６】
また、従来にあっては、補助壁に上下に長い軸挿入縦溝を設け、この軸挿入縦溝に連通する軸差し込み用開口部を設け、断面円状をした側板の軸を軸差し込み用開口部から軸挿入縦溝内に挿入するようにしているが、側板の軸が断面円状をしているため、軸差し込み用開口部から抜けやすいという問題がある。
【０００７】
【発明が解決しようとする課題】
本発明は上記の点に鑑みてなされたものであり、部材点数が少なくてコストダウンが図れ、構成が簡略化でき組み立て性が向上し、しかも、簡単な構造で側板を倒した状態や起立させた状態で側板の軸が軸支持部から外れないようにできるパレット容器を提供することを課題とするものである。
【０００８】
【課題を解決するための手段】
上記課題を解決するために本発明に係るパレット容器は、フォーク差し込み部１を有する底板２の上面の対向する一対の辺に沿って補助壁３を立設し、この補助壁３に補助壁３を設けた側の一対の第１の側板４ａの下端部を起倒自在に支持するための第１の軸支持部５ａと、補助壁３を設けない側の他の一対の第２の側板４ｂの下端部を起倒自在に支持するための第２の軸支持部５ｂとを設け、一対の第１の側板４ａ乃至一対の第２の側板４ｂのいずれか一方の一対の側板４を該側板４同士が重ならないようにそれぞれ底板２の上面に重なるように倒すと共に該互いに重ならないように先に倒した一対の側板４の上に他方の一対の側板４を該側板４同士が重ならないように倒した状態で折り畳み、且つ倒した状態で上に位置する他方の一対の側板４を起立した後に下に位置する一方の一対の側板４を起立させて箱形状に組み立てるように構成し、第１の側板４ａの下端部に脚１０を垂設し、脚１０の側面から側方に断面非円形の軸８ａを突設し、補助壁３に上方及び対向する補助壁３側に向けて開口する脚挿入凹溝部１１を形成し、脚挿入凹溝部１１内に挿入した脚１０に設けた非円形の軸８ａを回動自在で且つ上下方向にスライド自在に挿入するための第１の軸支持部５ａを構成する縦長の軸挿入縦溝１２を脚挿入凹溝部１１の内側面に形成し、補助壁３に軸挿入縦溝１２に連通する軸差し込み用開口部１３を形成し、第１の側板４ａを底板２に対して斜めにした状態で軸差し込み用開口部１３から断面非円形の軸８ａを軸挿入縦溝１２に対して挿入・抜き取り可能で且つ第１の側板４ａを底板２に対して平行となるように倒した状態及び第１の側板４ａを底板２に対して垂直に起立させた状態で軸差し込み用開口部１３から断面非円形の軸８ａを軸挿入縦溝１２に対して挿入・抜き取り不可となるように軸差し込み用開口部１３の開口巾を第１の側板４ａの軸８ａの断面の最大巾部分よりも小さく設定して成ることを特徴とするものである。このような構成とすることで、折り畳んだ状態における嵩を低くでき、また、補助壁３が２個でよくて部材点数が減少し、少ない部材点数で折り畳み自在なパレット容器を提供することができるものである。また、第１の側板４ａを底板２に対して斜めに傾斜させ且つ軸８ａが上下に長い軸挿入縦溝１２の軸差し込み用開口部１３に対向して位置するという条件を満たし、更にこの状態で軸８ａを軸差し込み用開口部１３から取り出す外力が作用しない限り、軸８ａが軸挿入縦溝１２から不用意に外れないものであり、第１の側板４ａを倒したり、起立したりという通常の使用状態では軸８ａが外れないようにできるものである。
【０００９】
また、底板２の上面の対向する一対の辺に沿って補助壁３を着脱自在に取付け、補助壁３の両端部に第２の軸支持部５ｂを設け、補助壁３の両第２の軸支持部５ｂ間の部分に複数の第１の軸支持部５ａを設け、一対の第２の側板４ｂを第２の側板４ｂ同士が重ならないようにそれぞれ底板２の上面に重ねるように倒すと共に該互いに重ならないように倒した第２の側板４ｂの上に一対の第１の側板４ａを第１の側板４ａ同士が重ならないように倒した状態で折り畳み、且つ倒した状態で上に位置する一対の第１の側板４ａを起立して第１の側板４ａの下端面を補助壁３の上面に載置した後に下に位置する一対の第２の側板４ｂを起立させて第２の側板４ｂの下端面を底板２の上面に載置させて箱形状に組み立てるように構成することが好ましい。このように補助壁３の両端部に第２の軸支持部５ｂを設け、補助壁３の両第２の軸支持部５ｂ間の部分に複数の第１の軸支持部５ａを設けることで、折り畳んだ状態における嵩を低くでき、また、共通の補助壁３に第１の側板４ａと第２の側板４ｂとを軸支して取付け、簡単な構成で折り畳んだり、起立して箱形状に組み立てたりできるものである。
【００１０】
また、起立に当たって先に起立する側板４の側端部の内面側に起立状態で後から起立する方の側板４の端部が当接して後から起立する側板４が外側に倒れるのを防止するための突出部６を突設し、後から起立する側板４を倒した状態で上となる面に上記先に起立する側板４を倒して重ねた際に突出部６が収まる凹部７を形成することが好ましい。このような構成とすることで、パレットの本体となる底板２に凹みなどを設けることなく突出部６を納めて突出部６を設けたといえども折り畳んだ状態における嵩をいっそう低くできるものである。
【００１２】
【発明の実施の形態】
以下、本発明を添付図面に示す実施形態に基づいて説明する。
【００１３】
フォーク差し込み部１を有する平面視矩形状をした底板２の４辺に沿ってそれぞれ側板４（側板４としては対向する一対の側板４ａと、別の対向する一対の側板４ｂとがある）を起倒自在に設けてパレット容器が構成してある。本発明のパレット容器においては、一対の対向する側板４を先に底板２上に倒して重ね、その上に他の一対の対向する側板４を倒して重ねることで折り畳むのであるが、折り畳んだ状態で先に倒して底板２上に重ねた一対の側板４同士は互いに重なり合うことがなく、また、この先に倒した一対の側板４の上に倒して重ねる後で倒す一対の側板４同士も互いに重なりあうことがないように構成してあって、４枚の側板４の重なりが２重の重なりとなるようにして折り畳み状態における全体の嵩を低くしてある。
【００１４】
図１に示すように、フォーク差し込み部１は底板２の側面部に開口していてフォークリフト用のフォークを差し込むことができるようになっており、底板２はそれ自体として普通のパレットとして使用できるものである。このフォーク差し込み部１を有する底板２の四隅部分に上下に貫通するボルト挿入孔１４が設けてあり、ボルト挿入孔１４の上下両端部はそれぞれ大径孔部１４ａとなっている。また、底板２の上面部の少なくとも対向する一対の側辺の略中央部には孔１５が形成してある（添付図面に示す実施形態ではすべての側辺である２対の側辺の略中央部に孔１５を形成した例が示してある）。底板２の底面部の外周部は上方に凹んだ段部１６となっており、段部１６部分に上記ボルト挿入孔１４の下の大径孔部１４ａが開口している。
【００１５】
補助壁３は図１に示すようなもので底板２の一辺と同じ長さをしている。補助壁３の両端部には上下に貫通するボルト挿入孔１７が形成してあり、補助壁３の上面部の両端部に上方に突出した上突部１８部分にボルト挿入孔１７が開口していてこのボルト挿入孔１７の上開口はボルト２２の頭部やナットがはまり込む大孔となっている。また、補助壁３の下面部の両端部に下方に突出した下突部２０部分にボルト挿入孔１７が開口している。補助壁３の下面部には更にはめ込み突部２１が下方に突設してある。
【００１６】
補助壁３は底板２の上面の対向する一対の辺に沿って着脱自在に取付けて立設するものであり、補助壁３を底板２の上面の対向する一対の辺に沿って載置し、該辺の略中央部に形成した孔１９に嵌め込み突部２１を嵌め込むと共にボルト挿入孔１４の上の大径孔部１４ａに下突部２０を嵌め込んで補助壁３を底板２に対して位置決め保持し、この状態でボルト挿入孔１７からボルト挿入孔１４にボルト２２を挿入してナット２３を螺合することで着脱自在に取付けるものである。ここで、ボルト２２の頭部が大孔内に位置し且つナット２３が下の大径孔部１４ａ内に位置することになる。
【００１７】
上記のようにして底板２の上面の４辺のうち対向する一対の辺に沿って立設して取付けられる補助壁３の両端部には対向する補助壁３と向かい合う面から対向する補助壁３側に向けて端突部２４が一体に突設してあり、この補助壁３の両端部の端突部２４部分に第２の軸支持部５ｂが設けてあり、補助壁３の両側の第２の軸支持部５ｂ間の部分に複数の第１の軸支持部５ａが設けてある。
【００１８】
第１の軸支持部５ａは補助壁３を設けた側の辺と平行な第１の側板４ａの下端部の軸８ａを回動自在且つ上下移動自在に嵌め込み支持するためのものであり、また、第２の軸支持部５ｂは補助壁３を設けない側の辺と平行な第２の側板４ｂの下端部の軸８ｂを回動自在且つ上下移動自在に嵌め込むためのものである。
【００１９】
第１の側板４ａの下端部には複数の脚１０と倒れ防止用脚２５を垂設してある。脚１０の側面から側方に断面非円形（添付図面の実施形態では断面十字形）の軸８ａを突設してある。そして、図９（ｂ）に示すように、第１の側板４ａを横に水平に倒した状態と縦に垂直に起立した状態でいずれも軸８ａの断面の垂直方向の巾が該軸８ａの最大巾Ｍ１となるように構成してあり、図９（ａ）に示すように、第１の側板４ａを斜めに傾斜させた状態で軸８ａの断面の垂直方向の巾が該軸８ａの最小巾Ｍ２となるように設定してある。また、倒れ防止用脚２５の下端部には嵌め込み突出部２６を垂設してある。
【００２０】
補助壁３には図１に示すように、複数の脚挿入凹溝部１１と複数の倒れ防止用脚挿入凹溝部２７が形成してある。脚挿入凹溝部１１は上方及び対向する補助壁３側に向けて開口している。脚挿入凹溝部１１の内側面に第１の軸支持部５ａを構成する縦長の軸挿入縦溝１２が形成してある。また、補助壁３には軸挿入縦溝１２の上部に連通する軸差し込み用開口部１３を形成してあり、この軸差し込み用開口部１３は対向する補助壁３に向き合う面に開口している。ここで、軸差し込み用開口部１３の開口巾Ｎ１は上記軸８ａの断面の最大巾Ｍ１よりも小さく且つ最小巾Ｍ２と同じ又は大きく設定してある。また、軸挿入縦溝１２の溝巾は図９（ｂ）に示すように、上記軸８ａの断面の最大巾Ｍ１よりも大きいものである。
【００２１】
第１の側板４ａの軸８ａを軸挿入縦溝１２に差し込むには、図９（ａ）に示すように、底板２に対して第１の側板４ａを傾斜させて軸８ａの断面の最小巾Ｍ２を垂直方向とした状態で軸８ａを軸差し込み用開口部１３から差し込んで軸挿入縦溝部１２内に入れるものである。したがって、第１の側板４ａを底板２に対して斜めに傾斜させ且つ軸８ａが上下に長い軸挿入縦溝１２の軸差し込み用開口部１３に対向して位置するという条件を満たし、更にこの状態で軸８ａを軸差し込み用開口部１３から取り出す外力が作用しない限り、軸８ａが軸挿入縦溝１２から不用意に外れないものであり、第１の側板４ａを倒したり、起立したりという通常の使用状態では軸８ａが外れないようにできるものである。
【００２２】
上記のように第１の側板４ａの軸８ａを第１の軸支持部５ａを構成する軸挿入縦溝１２に入れて軸支持させた状態で第１の側板４ａの脚１０が脚挿入凹溝部１１内に位置することになる。
【００２３】
倒れ防止用脚挿入凹溝部２７は上方及び対向する補助壁３側に向けて開口している。この倒れ防止用脚挿入凹溝部２７の底部には嵌め込み溝部４１が形成してあり、第１の側板４ａを起立させた状態で上から下にスライドすることで倒れ防止用脚挿入凹溝部２７内に配置された倒れ防止用脚２５の下端部の嵌め込み突出部２６を嵌め込み溝部４１内に嵌む。この嵌め込み突出部２６を嵌め込み溝部４１内に嵌め込んだ状態で第１の側板４ａの下面が補助壁３の上面に載置されるものであり、したがって、第１の側板４ａを起立して補助壁３の上面に載置した状態で第１の側板４ａが倒れないように保持されるものである。第１の側板４ａの下面には係合突起４０が垂設してあり、また、補助壁３の上面には係合孔９が設けてあり、上記のように起立させた状態で第１の側板４ａを上からスライドさせて補助壁３の上面に載置した状態で係合突起４０が係合孔９に係合し、この係合によっても更に第１の側板４ａの起立状態を保持して第１の側板４ａの倒れを防止するようになっている。
【００２４】
補助壁３の両端部の端突部２４の上部には端突部２４の対向面（すなわち内面）及び上方に開口する嵌め込み凹部３１ａが形成してある。端突部２４の上記嵌め込み凹部３１ａより下方位置には上下に長い縦長溝２８が設けてあり、縦長溝２８は端突部２４の突出先端面（対向する補助壁３に向かう面）に開口しており、この上下に長い縦長溝２８が第２の軸支持部５ｂを構成してある。縦長溝２８の上端部には横向きに軸挿入溝２９が連通形成してあり、この軸挿入溝２９は一端部が縦長溝２８に連通すると共に他端部が端突部２４の外側面部に開口し、更に軸挿入溝２９は端突部２４の突出先端面に開口している。このように縦長溝２８と軸挿入溝２９とを連通して断面略逆Ｌ字状溝に形成してある。端突部２４には縦長溝２８の横側方位置で且つ軸挿入溝２の下方位置に端突部２４の突出先端面に開口するロック溝３０ａが形成してある。
【００２５】
底板２の上面の４辺のうち一対の辺にはそれぞれ上記のように補助壁３を設けるが他の一対の辺には補助壁３を設けないものであり、この補助壁３を設けない他の一対の辺に沿って配置する一対の第２の側板４ｂは図１に示すようなものであり、端面の下部に外側方に向けて軸８ｂが突設してある。そして、第２の側板４ｂは軸８ｂを補助壁３の端突部２４に設けた軸挿入溝２９から縦長溝２８内に挿入することで、縦長溝２８よりなる第２の軸支持部５ｂで軸８ｂを回動自在且つ上下方向にスライド自在に支持して第２の側板４ｂを底板２の補助壁３を設けない辺に沿って回動自在に取付けるものである。
【００２６】
第２の側板４ｂの上下方向の長さは第１の側板４ａの上下方向の長さに補助壁３の上下方向の長さを加えた長さとなっている。また、第２の側板４ａの上下方向の長さは底板２の補助壁３を設けた側の辺の長さの１／２以下となっている。また、第１の側板４ａの上下方向の長さと補助壁３との上下方向の長さとの合計長さは底板２の補助壁３を設けない側の辺の長さの１／２以下となっている。また、本実施形態においては、第２の側板４ｂを倒して底板２の上面に重ね、その後第１の側板４ａを倒して先に倒した第２の底板４ｂの上に重ねることで折り畳むようになっている。そして、補助壁３の上下方向の長さは第２の側板４ｂの厚みと第１の側板４ａの厚みとを加えた長さと同じ又はほぼ同じとなっており、折り畳み状態では上に重ねた第１の側板４ａの上となる面と補助壁３の上面とが同じ又はほぼ面一となるように設定してある。箱形状に組み立てるに当たっては、一対の第１の側板４ａを起立させて第１の側板４ａの下面を補助壁３の上面に載設し、その後、一対の第２の側板４ｂを起立させて第２の側板４ｂの下面を底板２の上面に載設することで図２乃至図４に示すような箱形状とするものである。
【００２７】
ここで、第１の側板４ａの両端部の内面側には起立状態で後から起立する後述の第２の側板４ｂの外面の端部が当接して後から起立する第２の側板４ｂが外側に倒れるのを防止するための突出部６を突設してある。突出部６は上下方向に複数個設けてあり、上下の突出部６間及び下の突出部６と補助壁３との間には隙間３５が設けてある。この第１の側板４ａの両端部に設けた突出部６の対向面（内面）及び上方向に開口する嵌め込み凹部３１が設けてあり、また、いずれか又は全部の突出部６には突出先端面に開口するロック溝３０ｂが形成してある。いずれか又は全部の隙間３５の上部にはストッパ部３６が設けてあり、このストッパ部３６は突出部６の内面側にずれた位置に片寄らせて設けてある。
【００２８】
一方、第２の側板４ｂの側端面には図１、図１３、図１４等に示すように、倒した際に下となる面側に片寄らせて嵌め込み突部３７が上下方向に隙間３８を介して複数個（実施形態では３個）突設してある。また、任意の隙間３８の下部部分には倒した際に上となる面側に片寄らせて当たり部３９が設けてある。更に、第２の側板４ｂの両端部の上下及び下端部の中央にはロック部材収納溝３３が形成してある。第２の側板４ｂの両端部の上下に設けたロック部材収納溝３３は側面及び外面に開口しており、下端部中央に設けたロック部材収納溝３３は下面及び外面に開口している。
【００２９】
図１０に示すように、ロック部材収納溝３３内の側面（又は下面）の開口側の部分に仕切り壁３３ａが形成してあってロック部材収納溝３３内の側面（又は下面）の開口側の部分を第１孔部３３ｂと第２孔部３３ｃとに仕切ってある。ロック部材収納溝３３内には更に係止段部３３ｄと係止凹み３３ｅとが設けてある。ロック部材収納溝３３内には図１１に示すようなロック部材３４が図１０に示すようにスライド自在に収納される。
【００３０】
ロック部材３４は操作部３４ａと操作部３４ａから突出したロック片３４ｂと弾性係止片３４ｃとから構成してあり、操作部３４ａをロック部材収納溝３３の外面開口部分にスライド自在に配置し、ロック片３４ｂを第１孔部３３ｂにスライド自在で且つ側面（又は下面）の開口から突出自在にはめ込んであり、弾性係止片３４ｃを第２孔部３３ｃにスライド自在に嵌め込んである。弾性係止片３４ｃには先端に係止突起３４ｄを設けると共に中央部に山形形状をした係止突出部３４ｅが設けてあり、この弾性係止片３４ｃは外力を加えない状態では図１１に示すようにロック片３４ｂに対して傾斜しており、ロック部材収納溝３３にロック部材３４をはめ込んだ状態で弾性係止片３４ｃがロック部材収納溝３３の内壁面に弾接して弾性変形している。操作部３４ａを操作してロック片３４ｂを側面（又は下面）の開口から突出して操作部３４ａがロック部材収納溝３３の外面開口部の縁に当たってそれ以上外方向に突出しないようにした状態では山形形状をした係止突出部３４ｅが係止段部３３ｄに弾性係止してロック片３４ｂの突出状態を維持している。一方、操作部３４ａを逆方向に移動するように操作すると係止突出部３４ｅが係止段部３３ｄから外れてロック片３４ｂが側面（又は下面）の開口内に引き込まれ、完全に引き込まれた状態で係止突起３４ｄが係止段部３３ｄに係止してそれ以上引き込まれないようにすると共に係止突出部３４ｅが係止凹み３３ｅに弾性係止してロック片３４ｂの非突出状態を維持するようになっている。
【００３１】
第２の側板４ｂの外面の下端部（つまり第２の側板４ｂを倒した状態で上となる面の端部）には図１に示すように凹部７が設けてあり、第２の側板４ｂを倒して底板２の上に重ね、その後に第１の側板４ａを倒して第２の側板４ｂの上に重ねた状態で、図５に示すように第１の側板４ａの両端部の内面側に突出した突出部６が収まる凹部７を形成してあり、これにより突出部６を設けたといえども折り畳んだ状態における上下嵩を低くできるようになっている。
【００３２】
凹部７には底部から上方に向けて更に図１に示すように嵌め込み凸部７ａが突設してあり、上記のように横向きに倒した第２の側板４ｂ上に第１の側板４ａを倒して重ねて突出部６を凹部７に収めた状態で、第１の側板４ａの突出部６に設けた嵌め込み凹所６ａが上記嵌め込み凸部７ａに嵌め込まれるように構成してある。これにより折り畳んだ状態で搬送中など第１の側板４ａががたつこうとしても嵌め込み凹所６ａが上記嵌め込み凸部７ａに嵌め込まれることで第１の側板４ａが仮固定状態となって軸８ａ部分に無理な力が作用せず、軸８ａの破損を防止することができるものである。
【００３３】
ここで、第１の側板４ａを回動して起立させて補助壁３上に載設した後に、第２の側板４ｂを回動して起立させた状態で、嵌め込み突部３７が突出部６の嵌め込み凹部３１及び補助壁３の端突部２４の嵌め込み凹部３１ａに嵌め込まれて第２の側板４ｂが外側に倒れるのを突出部６及び端突部２４により防止すると共に、嵌め込み突部３７と嵌め込み凹部３１との嵌め込みにより第１の側板４ａと第２の側板４ｂとが係合して第１の側板４ａが外側及び内側に倒れるのが防止されるようになっており、しかも、この状態で、前述の第２の側板４ｂの両端部に設けたロック部材３４をスライドさせてロック片３４ｂを突出させることで、図１０（ｂ）のようにロック片３４ｂがロック溝３０ａ、３０ｂに嵌め込まれてロックされ、箱形状に組み立てた状態が保持される。また、第２の側板４ｂの下部中央に設けたロック部材３４をスライドさせてロック片３４ｂを突出させることで底板２の補助壁３を突設していない方の辺の中央部に設けた孔１５（これがロック溝となる）に嵌め込まれて第２の側板４ｂの中央部が底板２に直接ロックされることになる。
【００３４】
ところで、端突部２４に設けた嵌め込み凹部３１ａ、縦長溝２８、軸挿入溝２９と、第１の側板４ａに設けた嵌め込み凹部３１を有する突出部６、隙間３５、ストッパ部３６と、第２の側板４ｂに設けた嵌め込み突部３７、隙間３８、当たり部３９、軸８ｂとの位置関係は次のような位置関係となっている。
【００３５】
すなわち、第１の側板４ａを起立させて補助壁３の上面に載置すると共に第２の側板４ｂを起立させて底板２の上面に載置した箱形状に組み立てた状態で、図１２に示すように、軸８ｂが縦長溝２８の下端部に位置し、複数の嵌め込み突部３７がそれぞれ複数の嵌め込み凹部３１、３１ａに嵌め込まれる位置となり、隙間３５と隙間３８とが対向する位置となり、ストッパ部３６と当たり部３９とが上下に離れた位置となっている。この状態をより判りやすく図示したものが図１４であり、各部の同士の上下方向の位置関係が判るように第２の側板４ｂを図面上第１の側板４ａから側方に離したものとして図示している。
【００３６】
この箱形状に組み立てた状態でロック部材３４をスライドさせてロック片３４ｂを突出させることで、ロック部材３４のロック片３４ｂがロック溝３０ａ、３０ｂ、ロック溝となる孔１５に嵌め込まれて箱形状を保持するのである。上記箱形状に組み立てた状態でロック部材３４によるロックを解除すると、第２の側板４ｂは第１の側板４ａに対して一定長さ上方にスライド移動することができるようになっており、軸８ｂが軸挿入溝２９と対向する位置まで第２の側板４ｂを上方に持ち上げた場合にちょうど複数の嵌め込み突部３７がそれぞれ複数の嵌め込み凹部３１、３１ａから上方に抜けて隙間３５内に位置すると共に隙間３８が嵌め込み突部３７を有する突出部６部分に位置するようになっている。したがって、この状態で第２の側板４ｂを外側方に引き出すと、図１３に示すように、軸８ｂが軸挿入溝２９から外方に引き出され、複数の嵌め込み突部３７が隙間３５から外側方に引き出されることになり、これにより箱形状に組立てた状態で第２の側板４ｂを単独で取り外し、箱形状の一側面を開口することができ、この側面の開口を利用して箱形状の内部に収納物を入れたり、箱形状の内部から収納物を出したりすることが可能となる。
【００３７】
なお、図１７に示すように、軸挿入溝２９を縦長溝２８側程下となるように傾斜させると、第２の側板４ｂの軸８ｂを軸挿入溝２９から縦長溝２８に入れるに当たって傾斜した軸挿入溝２９によりスムーズに案内して縦長溝２８に入れることができるものである。
【００３８】
荷物の出し入れが終わると、取り外した第２の側板４ｂは上記と逆の順序で取付けることができるものである。ここで、第２の側板４ｂを取付ける際、図１３の矢印方向に第２の側板４ｂを移動させて軸８ｂを軸挿入溝２９から縦長溝２８の上端部内に入れるのであるが、この場合、当たり部３９がストッパ部３６に当たって第２の側板４ｂの上部が所定差し込み位置まで差し込まれた状態でそれ以上差し込まれて第２の側板４ｂが傾くことがなく、このように垂直姿勢となるように差し込まれた状態で第２の側板４ｂを下方にスライドさせることで、図１２の状態とすることができるものである。
【００３９】
しかして、本発明のパレット容器は上記のように第１の側板４ａ、第２の側板４ｂを起立させて図２乃至図４に示すように箱形状に組み立てた状態で、箱形状の内部に収納物を収納し、フォーク差し込み部１にフォークリフトのフォークを差し込んでパレット容器を持ち上げて移動し、収納場所やトラックなどの運搬手段に載置したり、あるいは収納場所や運搬手段から取り出して別なところに移動したりするものである。
【００４０】
パレット容器を箱形状に組み立てた状態では一対の第１の側板４ａと一対の第２の側板４ｂとの上面に底板２の底面部の外周部の段部１６が載置されて横ずれなく段積みできるようになっている（図１６参照）。
【００４１】
一方、パレット容器を使用しない場合には、ロック部材３４によるロックを解除し、一対の第２の側板４ｂを倒してそれぞれ底板２の上面に重ね、次に、一対の第１の側板４ａを少し上に持ち上げて係合突起４０を係合孔９から外すと共に倒れ防止用脚２５の下端部の嵌め込み突出部２６を嵌め込み溝部４１から外し、この状態で第１の側板４ａを回動しながら軸８ａを下方にスライドさせることで一対の第１の側板４ａを一対の第２の側板４ｂの上に重ねることができるものである（図５乃至図７参照）。この場合、第１の側板４ａの突出部６が第２の側板４ｂの凹部７内に収納されて第１の側板４ａを一対の第２の側板４ｂの上に重ねることができるので、突出部６を設けたといえども折り畳んだ状態における上下嵩を低くできるものである。
【００４２】
折り畳み状態のパレット容器は図１５に示すように補助壁３の上端部に上段のパレット容器の底板２の底面部の外周部の段部１６がはまり込んでずれないように段積みすることができる。
【００４３】
また、底板２を単独でパレットとして使用したい場合にはボルト２２を外して補助壁３を取り外すことにより底板２を単独のパレットとして使用できるものである。
【００４４】
なお、上記した実施形態においては、底板２の補助壁３を設けない側の辺に沿った第２の側板４ｂを先に倒して底板２の上面に重ね、次に、補助壁３に沿った第１の側板４ａを倒して第２の側板４ｂの上に重ねるようにして折り畳むように構成した例で説明したが、本発明においては、第１の側板４ａを先に倒して底板２の上面に重ね、次に第２の側板４ｂを倒して第１の側板４ａの上に重ねるようにして折り畳むような構成としてもよいものである。
【００４５】
【発明の効果】
上記のように本発明の請求項１記載の発明にあっては、一対の第１の側板乃至一対の第２の側板のいずれか一方の一対の側板を該側板同士が重ならないようにそれぞれ底板の上面に重なるように倒すと共に該互いに重ならないように先に倒した一対の側板の上に他方の一対の側板を該側板同士が重ならないように倒した状態で折り畳み、且つ倒した状態で上に位置する他方の一対の側板を起立した後に下に位置する一方の一対の側板を起立させて箱形状に組み立てるように構成したパレット容器であるので、使用時には箱形状に組み立てて内部に収納物を収納し、フォーク差し込み部にフォークを差し込んで持ち上げて移動できるものであり、また、非使用時には４枚の側板を２重となるように重ねて折り畳んで全体としては嵩を低くしてコンパクトにでき、保管や搬送に当たって大きなスペースを必要としないものであり、しかも、フォーク差し込み部を有する底板の上面の対向する一対の辺に沿って補助壁を立設し、この補助壁に補助壁を設けた側の一対の第１の側板の下端部を起倒自在に支持するための第１の軸支持部と、補助壁を設けない側の他の一対の第２の側板の下端部を起倒自在に支持するための第２の軸支持部とを設けてあるので、底板の４辺にそれぞれ沿った側板を折り畳み自在に取付けるパレット容器を構成するに当たって、従来のように底板の４辺にそれぞれ補助壁を設ける必要がなくて補助壁が２個でよく、従来に比べて部材点数が少なくてコストダウンが図れるものであり、また、補助壁が２個でよいので構成が簡略化でき組み立て性が向上できるものである。また、第１の側板の下端部に脚を垂設し、脚の側面から側方に断面非円形の軸を突設し、補助壁に上方及び対向する補助壁側に向けて開口する脚挿入凹溝部を形成し、脚挿入凹溝部内に挿入した脚に設けた非円形の軸を回動自在で且つ上下方向にスライド自在に挿入するための第１の軸支持部を構成する縦長の軸挿入縦溝を脚挿入凹溝部の内側面に形成し、補助壁に軸挿入縦溝に連通する軸差し込み用開口部を形成し、第１の側板を底板に対して斜めにした状態で軸差し込み用開口部から断面非円形の軸を軸挿入縦溝に対して挿入・抜き取り可能で且つ第１の側板を底板に対して平行となるように倒した状態及び第１の側板を底板に対して垂直に起立させた状態で軸差し込み用開口部から断面非円形の軸を軸挿入縦溝に対して挿入・抜き取り不可となるように軸差し込み用開口部の開口巾を第１の側板の軸の断面の最大巾部分よりも小さく設定してあるので、第１の側板を底板に対して斜めに傾斜させ且つ上下に長い軸挿入縦溝の軸差し込み用開口部に対向する位置に軸が位置するという条件を満たし、更にこの状態で軸を軸差し込み用開口部から取り出す外力が作用しない限り、軸が軸挿入縦溝から不用意に外れないものであり、第１の側板を倒したり、起立したりという通常の使用状態では軸が外れないようにできるものである。
【００４６】
また、請求項２記載の発明にあっては、上記請求項１記載の発明の効果に加えて、底板の上面の対向する一対の辺に沿って補助壁を着脱自在に取付け、補助壁の両端部に第２の軸支持部を設け、補助壁の両第２の軸支持部間の部分に複数の第１の軸支持部を設け、一対の第２の側板を第２の側板同士が重ならないようにそれぞれ底板の上面に重ねるように倒すと共に該重ならないように倒した第２の側板の上に一対の第１の側板を第１の側板同士が重ならないように倒した状態で折り畳み、且つ倒した状態で上に位置する一対の第１の側板を起立して第１の側板の下端面を補助壁の上面に載置した後に下に位置する一対の第２の側板を起立させて第２の側板の下端面を底板の上面に載置させて箱形状に組み立てるように構成してあるので、補助壁を取り外すと底板を通常のパレットとして使用できるのはもちろん、底板のみで使用する場合と補助壁、側板を取付けてパレット容器として使用するに当たり、底板に対して２個の補助壁の着脱で容易にいずれかの使用形態が選択できるものであって、組立て、分解がきわめて容易に行えるものであり、しかもパレット容器とするに当たり、共通の補助壁に第１の側板と第２の側板とを軸支して取付けることで、簡単な構成で折り畳んだり、起立して箱形状に組み立てたりできるパレット容器を提供できるものである。
【００４７】
また、請求項３記載の発明にあっては、上記請求項１又は請求項２記載の発明の効果に加えて、起立に当たって先に起立する側板の側端部の内面側に起立状態で後から起立する方の側板の端部が当接して後から起立する側板が外側に倒れるのを防止するための突出部を突設し、後から起立する側板を倒した状態で上となる面に上記先に起立する側板を倒して重ねた際に突出部が収まる凹部を形成してあるので、後から起立する側板を倒した後に先に起立する側板を倒して重ねても、先に起立する側板が突出部の分だけ後から起立する側板に対して上方に浮くことがなく、したがって、突出部を設けたといえども折り畳んだ状態における上下嵩をいっそう低くでき、折り畳み時においていっそうコンパクトにできて、保管、搬送に当たって大きなスペースを必要とせず、保管、搬送効率がいっそう向上するものである。
【図面の簡単な説明】
【図１】本発明のパレット容器の分解斜視図である。
【図２】同上のパレット容器を箱形状に組み立てた状態の正面図である。
【図３】同上のパレット容器を箱形状に組み立てた状態の側面図である。
【図４】同上のパレット容器を箱形状に組み立てた状態の平面図である。
【図５】同上のパレット容器を折り畳んだ状態の正面図である。
【図６】同上のパレット容器を折り畳んだ状態の側面図である。
【図７】同上のパレット容器を折り畳んだ状態の平面図である。
【図８】同上の第１の側板を起立して第２の側板を起立している途中の状態の斜視図である。
【図９】（ａ）は同上の第２の側板の軸を第２の軸支持部を構成する縦長溝の上端部の軸挿入溝に挿入する状態を示す説明図であり、（ｂ）は同上の縦長溝内に軸を挿入して第２の側板を起立及び倒した状態の説明図である。
【図１０】（ａ）は同上のロック部材でロックする前の状態の断面図であり、（ｂ）はロック部材でロックした状態の断面図である。
【図１１】同上に使用するロック部材の断面図である。
【図１２】同上の第１の側板及び第２の側板を起立させて箱形状に組み立てた状態における端突部に設けた嵌め込み凹部、縦長溝、軸挿入溝と、第１の側板に設けた嵌め込み凹部を有する突出部、隙間、ストッパ部と、第２の側板に設けた嵌め込み突部、隙間、当たり部、軸との位置関係を示す組立状態における説明図である。
【図１３】同上の第２の側板の取付け、取り外しを示す説明図である。
【図１４】同上の第１の側板及び第２の側板を起立させて箱形状に組み立てた状態における端突部に設けた嵌め込み凹部、縦長溝、軸挿入溝と、第１の側板に設けた嵌め込み凹部を有する突出部、隙間、ストッパ部と、第２の側板に設けた嵌め込み突部、隙間、当たり部、軸との位置関係を示す第２の側板を取り外した状態における説明図である。
【図１５】同上のパレット容器を折り畳んで上下に複数段積みした状態の正面図である。
【図１６】同上のパレット容器を箱形状に組立てた状態において上下に複数段積みした状態の正面図である。
【図１７】同上の第２の側板の取付け、取り外しを示す他例の説明図である。
【符号の説明】
１  フォーク差し込み部
２  底板
３  補助壁
４  側板
４ａ  第１の側板
４ｂ  第２の側板
５ａ  第１の軸支持部
５ｂ  第２の軸支持部
６  突出部
７  凹部
８ａ  軸
８ｂ  軸
１０  脚
１１  脚挿入凹溝部
１２  軸挿入縦溝
１３  軸差し込み用開口部
【図１】
0004713768.tif 000002
【図２】
0004713768.tif 000003
【図３】
0004713768.tif 000004
【図４】
0004713768.tif 000005
【図５】
0004713768.tif 000006
【図６】
0004713768.tif 000007
【図７】
0004713768.tif 000008
【図８】
0004713768.tif 000009
【図９】
0004713768.tif 000010
【図１０】
0004713768.tif 000011
【図１１】
0004713768.tif 000012
【図１２】
0004713768.tif 000013
【図１３】
0004713768.tif 000014
【図１４】
0004713768.tif 000015
【図１５】
0004713768.tif 000016
【図１６】
0004713768.tif 000017
【図１７】
0004713768.tif 000018